(57)【特許請求の範囲】
【請求項１】
消火剤貯蔵容器の開口部に装着する容器装着部と、火災時に開放される弁体を配した弁部とを備えたガス系消火剤貯蔵容器用容器弁において、容器装着部と弁部の間の消火剤流路に、容器弁の弁部の点検時に操作部の手動操作により当該消火剤流路を遮断可能とする開閉弁を設けたことを特徴とするガス系消火剤貯蔵容器用容器弁。
【請求項２】
弁部を開閉弁の下流側で容器装着部から分離可能にしたことを特徴とする請求項１記載のガス系消火剤貯蔵容器用容器弁。
【請求項３】
開閉弁と弁部の間の消火剤流路に、予め設定した所定の圧力で開放する安全装置を設けたことを特徴とする請求項１又は２記載のガス系消火剤貯蔵容器用容器弁。
【請求項４】
開閉弁より消火剤貯蔵容器の開口部側の消火剤流路に、予め設定した所定の圧力で開放する安全装置を設けたことを特徴とする請求項１、２又は３記載のガス系消火剤貯蔵容器用容器弁。
【発明の詳細な説明】
【技術分野】
【０００１】
本発明は、ガス系消火剤貯蔵容器用容器弁に関し、特に、消火剤貯蔵容器から消火剤の放出を行わずに容器弁の点検を行うことができるようにしたガス系消火剤貯蔵容器用容器弁に関するものである。
【背景技術】
【０００２】
従来、ガス系消火剤貯蔵容器は、火災が発生しない限りそのまま長年に亘って設置された状態で放置されることがあり、容器弁の経年劣化が進み封板の腐食等による消火剤の誤放出のおそれがあった。
そこで、容器弁の経年劣化や腐食による誤放出や不作動を防止し、安全性を確保するために、容器弁の点検に係る規定、実施要領等を整備し速やかに対応を図っていくこととされている。
より具体的には、設置後１０年を経過した容器弁は、設置後１５年までに再検査を行うこととされ、点検要領が示されている。
【発明の概要】
【発明が解決しようとする課題】
【０００３】
ところで、ガス系消火剤貯蔵容器用容器弁の点検は、点検要領に従い、外観点検、構造、形状、寸法点検、耐圧点検、気密点検、安全装置等作動点検及び表示点検を行うこととなるが、この場合、従来の容器弁は、容器弁の基端部を消火剤貯蔵容器に直接ねじ込んで取り付けるようにする構造上の理由から、容器弁の点検に当たって消火剤貯蔵容器から消火剤を完全に放出する必要があるが、放出する消火剤の処理や消火剤の再充填に手数と、コストを要するという問題があった。
【０００４】
本発明は、この問題点に鑑み、消火剤貯蔵容器から消火剤の放出を行わずに容器弁の点検を行うことができるようにしたガス系消火剤貯蔵容器用容器弁を提供することを目的とする。
【課題を解決するための手段】
【０００５】
上記目的を達成するため、本発明のガス系消火剤貯蔵容器用容器弁は、消火剤貯蔵容器の開口部に装着する容器装着部と、火災時に開放される弁体を配した弁部とを備えたガス系消火剤貯蔵容器用容器弁において、容器装着部と弁部の間の消火剤流路に、容器弁の弁部の点検時に操作部の手動操作により当該消火剤流路を遮断可能とする開閉弁を設けたことを特徴とする。
【０００６】
ここで、「ガス系消火剤」とは、窒素、二酸化炭素、ハロン１３０１、ＨＦＣ−２２７ｅａ、ＨＦＣ−２３、ＦＫ−５−１−１２等のガス系消火設備で用いられる消火剤をいう。
【０００７】
この場合において、弁部を開閉弁の下流側で容器装着部から分離可能にしたことを特徴とする請求項１記載のガス系消火剤貯蔵容器用容器弁。
【０００８】
また、開閉弁と弁部の間の消火剤流路に、予め設定した所定の圧力で開放する安全装置を設けることができる。
【０００９】
また、開閉弁より消火剤貯蔵容器の開口部側の消火剤流路に、予め設定した所定の圧力で開放する安全装置を設けることができる。
【発明の効果】
【００１０】
本発明のガス系消火剤貯蔵容器用容器弁によれば、容器装着部と弁部の間の消火剤流路に、容器弁の弁部の点検時に操作部の手動操作により当該消火剤流路を遮断可能とする開閉弁を設けることにより、容器弁の点検を行う際に、開閉弁を閉鎖することによって消火剤流路を遮断して、消火剤貯蔵容器に消火剤を貯留した状態で容器弁の点検を行うことができる。
これにより、容器弁の点検を行う際の消火剤貯蔵容器から消火剤を完全に放出する工程をなくし、従来の容器弁の点検に伴う放出する消火剤の処理や消火剤の再充填の手数やコストを要するという問題を解消することができる。
【００１１】
また、弁部を開閉弁の下流側で容器装着部から分離可能にすることにより、弁部を容器装着部から分離して耐圧試験を行うことができる。
【００１２】
また、開閉弁と弁部の間の消火剤流路に、予め設定した所定の圧力で開放する安全装置を設けることにより、ガス系消火設備の消火剤流路に予め設定した圧力以上のガス圧がかかることを防止することができる。
【００１３】
また、開閉弁より消火剤貯蔵容器の開口部側の消火剤流路に、予め設定した所定の圧力で開放する安全装置を設けることにより、開閉弁を閉鎖することによって消火剤流路を遮断して消火剤貯蔵容器に消火剤を貯留した状態で容器弁の点検を行う際に、開閉弁より消火剤貯蔵容器の開口部側の消火剤流路に予め設定した圧力以上のガス圧がかかることを防止することができる。
【図面の簡単な説明】
【００１４】
【図１】ガス系消火剤貯蔵容器用容器弁の第１参考例を示し、（ａ）は容器弁の弁部を容器装着部に取り付けた状態（開閉弁が開放された状態）を、（ｂ）は容器弁の弁部を容器装着部から取り外した状態（開閉弁が閉鎖された状態）を、それぞれ示す説明図である。
【図２】ガス系消火剤貯蔵容器用容器弁の第１参考例の変形例を示し、（ａ）は容器弁の弁部を容器装着部に取り付けた状態（開閉弁が開放された状態）を、（ｂ）は容器弁の弁部を容器装着部から取り外した状態（開閉弁が閉鎖された状態）を、それぞれ示す説明図である。
【図３】本発明のガス系消火剤貯蔵容器用容器弁の第１実施例を示し、（ａ）は正面断面図、（ｂ）は平面一部断面図である。
【図４】本発明のガス系消火剤貯蔵容器用容器弁の第１実施例の第１変形例を示し、（ａ）は正面断面図、（ｂ）は平面一部断面図である。
【図５】本発明のガス系消火剤貯蔵容器用容器弁の第１実施例の第２変形例を示し、（ａ）は正面断面図、（ｂ）は側面断面図である。
【図６】ガス系消火剤貯蔵容器用容器弁の第２参考例を示し、（ａ）は容器弁の弁部を容器装着部に取り付けた状態（開閉弁が開放された状態）を、（ｂ）は容器弁の弁部を容器装着部にさらにねじ込んだ状態（開閉弁が閉鎖された状態）を、それぞれ示す説明図である。
【図７】ガス系消火剤貯蔵容器用容器弁の第３参考例を示し、（ａ）は容器弁の弁部を容器装着部に取り付けた状態（開閉弁が開放された状態）を、（ｂ）は容器弁の弁部を容器装着部から取り外した状態（開閉弁が閉鎖された状態）を、それぞれ示す説明図である。
【図８】本発明のガス系消火剤貯蔵容器用容器弁の第２実施例を示す正面断面図である。
【図９】本発明のガス系消火剤貯蔵容器用容器弁の第３実施例を示す正面断面図である。
【図１０】本発明のガス系消火剤貯蔵容器用容器弁の第４実施例を示し、（ａ）は正面断面図、（ｂ）は平面図、（ｃ）は（ｂ）のＸ−Ｘ断面図である。
【図１１】本発明のガス系消火剤貯蔵容器用容器弁の第４実施例の変形例を示し、（ａ−１）は開閉弁が開放された状態を示す正面断面図、（ｂ−１）は同平面図、（ａ−２）は開閉弁が閉鎖された状態を示す正面断面図、（ｂ−２）は同平面図である。
【発明を実施するための形態】
【００１５】
以下、本発明のガス系消火剤貯蔵容器用容器弁の実施の形態を、図面に基づいて説明する。
【００１６】
図１に、ガス系消火剤貯蔵容器用容器弁の第１参考例を示す。
このガス系消火剤貯蔵容器用容器弁１は、消火剤貯蔵容器２の開口部２１に装着する容器装着部１１と、火災時に開放される弁体１２ａを配した弁部１２とを備え、容器装着部１１と弁部１２の間の消火剤流路１３に、消火剤流路１３を遮断可能とする開閉弁１４を設けることにより、容器弁１の点検を行う際に、開閉弁１４を閉鎖することによって消火剤流路１３を遮断して、消火剤貯蔵容器２に消火剤を貯留した状態で容器弁１の点検、具体的には、容器装着部１１から弁部１２を取り外して耐圧試験を含む点検を行うことができるようにしている。
これにより、容器弁１の点検を行う際の消火剤貯蔵容器２から消火剤を完全に放出する工程をなくし、従来の容器弁１の点検に伴う放出する消火剤の処理や消火剤の再充填の手数やコストを要するという問題を解消することができるものとなる。
【００１７】
ガス系消火剤貯蔵容器用容器弁１は、窒素、二酸化炭素、ハロン１３０１、ＨＦＣ−２２７ｅａ、ＨＦＣ−２３、ＦＫ−５−１−１２等のガス系消火設備で用いられる消火剤を対象とするものであるが、本参考例の容器弁１は、特に、特許第２８１３３１８号公報に示されるような窒素を対象とするものである。
【００１８】
この容器弁１は、図１（ａ）に示すように、容器弁１の弁部１２を容器装着部１１にねじ込んで取り付けると、弁部１２の下端が開閉弁１４に当接してばね１４ａの付勢力に抗して開閉弁１４が押し下げられ、開閉弁１４が開放されるようにしている。
一方、図１（ｂ）に示すように、容器弁１の弁部１２を容器装着部１１から取り外すと、ばね１４ａの付勢力によって開閉弁１４が押し上げられ、開閉弁１４が閉鎖されるようにしている。
そして、この容器弁１は、容器弁１の弁部１２の点検を、ガス系消火設備を設置した場所以外の工場等で行うことができる。
【００１９】
この場合において、開閉弁１４と弁部１２の間の消火剤流路１３に、予め設定した所定の圧力で開放する安全装置１５を設けることができる。
これにより、ガス系消火設備の使用時にガス系消火設備の消火剤流路に予め設定した圧力以上のガス圧がかかることを防止することができる。
安全装置１５が開放する圧力は、通常、容器弁１の耐圧試験圧力の０．６８〜０．８倍で作動するように設定するが、それより大きい圧力で作動するように設定することもできる。
【００２０】
また、開閉弁１４より消火剤貯蔵容器２の開口部２１側の消火剤流路１３に、予め設定した所定の圧力で開放する安全装置１６を設けることができる。
これにより、開閉弁１４を閉鎖することによって消火剤流路１３を遮断して消火剤貯蔵容器２に消火剤を貯留した状態で容器弁１の点検を行う際に、開閉弁１４より消火剤貯蔵容器２の開口部２１側の消火剤流路１３に予め設定した圧力以上のガス圧がかかることを防止することができる。
安全装置１６が開放する圧力は、通常、容器弁１の耐圧試験圧力の０．６８〜０．８倍で作動するように設定するが、それより大きい圧力で作動するように設定することもできる。
また、本参考例において、安全装置１６は、開閉弁１４より消火剤貯蔵容器２の開口部２１側の消火剤流路１３に常に連通するようにされているが、例えば、容器弁１の弁部１２を容器装着部１１に取り付けると、安全装置１６と開閉弁１４より消火剤貯蔵容器２の開口部２１側の消火剤流路１３との連通が遮断され、安全装置１６の点検等を行うことができるように構成することもできる。
また、安全装置１６の取付形態は、図１に記載のものに限定されず、図２に示す本発明のガス系消火剤貯蔵容器用容器弁の第１参考例の変形例のように、安全装置１６を取り付けることもできる。
【００２１】
ところで、本参考例においては、消火剤流路１３の異なる位置に２つの安全装置１５、１６を配設するようにしたが、ガス系消火設備の消火剤流路の他の位置に安全装置を設置した場合等には、２つの安全装置１５、１６いずれか一方又は両方を省略することができる。
【００２２】
図３に、本発明のガス系消火剤貯蔵容器用容器弁の第１実施例を示す。
このガス系消火剤貯蔵容器用容器弁１は、二酸化炭素等の液体状態で消火剤貯蔵容器（図示省略）に貯留され、サイホン管（図示省略）を介して容器弁１に供給されるガス系消火剤のためのもので、火災時に封板１２ｂを破ることで開放される弁体１２ａを配した弁部１２を備えている。
この容器弁１は、開閉弁１４の開閉操作を行うハンドル１４ｂを備えるようにしており、容器弁１の点検を行う際に、ハンドル１４ｂを操作して開閉弁１４を閉鎖することによって消火剤流路１３を遮断して、消火剤貯蔵容器２に消火剤を貯留した状態で容器弁１の弁部１２の点検を行うことができるようにしている。
そして、この容器弁１は、ハンドル１４ｂを備えることにより、開閉弁１４の開閉操作を簡単、かつ確実に行うことができる。
【００２３】
ハンドル１４ｂを含む開閉弁１４の取付形態は、図３に記載のものに限定されず、図４及び図５に示す本発明のガス系消火剤貯蔵容器用容器弁の第１実施例の第１及び第２変形例のように構成することもできる。
【００２４】
本実施例のその他の構成及び作用は、第１参考例のガス系消火剤貯蔵容器用容器弁１と同様である。
【００２５】
図６に、ガス系消火剤貯蔵容器用容器弁の第２参考例を示す。
このガス系消火剤貯蔵容器用容器弁１は、二酸化炭素等の液体状態で消火剤貯蔵容器２に貯留され、サイホン管１３ａを介して容器弁１に供給されるガス系消火剤のためのもので、火災時に封板１２ｂを破ることで開放される弁体１２ａを配した弁部１２を備えている。
この容器弁１は、図６（ａ）に示すように、容器弁１の弁部１２を容器装着部１１の所定位置（通常位置）までねじ込んで取り付けた状態では、ばね１４ａの付勢力を受けた開閉弁１４が弁部１２の下端に当接する位置まで押し上げられ、開閉弁１４が開放されるようにしている。
一方、図６（ｂ）に示すように、容器弁１の弁部１２を容器装着部１１の所定位置（通常位置）よりさらにねじ込むことによって、ばね１４ａの付勢力に抗して開閉弁１４を押し下げ、開閉弁１４を閉鎖することによって消火剤流路１３を遮断して、消火剤貯蔵容器２に消火剤を貯留した状態で容器弁１の弁部１２の点検を行うことができるようにしている。
容器弁１の弁部１２の点検が完了すると、図６（ａ）に示すように、容器弁１の弁部１２を容器装着部１１の所定位置（通常位置）まで弛め、開閉弁１４が開放されるようにする。
そして、この容器弁１は、容器弁１の弁部１２の容器装着部１１へのねじ込み量を変えることにより、開閉弁１４の開閉操作を簡単に行うことができる。
【００２６】
本参考例のその他の構成及び作用は、第１参考例のガス系消火剤貯蔵容器用容器弁１と同様である。
【００２７】
図７に、ガス系消火剤貯蔵容器用容器弁の第３参考例を示す。
このガス系消火剤貯蔵容器用容器弁１は、二酸化炭素等の液体状態で消火剤貯蔵容器（図示省略）に貯留され、サイホン管１３ａを介して容器弁１に供給されるガス系消火剤のためのもので、火災時に封板１２ｂを破ることで開放される弁体１２ａを配した弁部１２を備えている。
この容器弁１は、図７（ａ）に示すように、容器弁１の弁部１２を容器装着部１１にねじ込んで取り付けると、弁部１２の下端が開閉弁１４に当接してばね１４ａの付勢力に抗して開閉弁１４が押し下げられ、開閉弁１４が開放されるようにしている。
一方、図７（ｂ）に示すように、容器弁１の弁部１２を容器装着部１１から取り外すと、ばね１４ａの付勢力によって開閉弁１４が押し上げられ、開閉弁１４が閉鎖されるようにしている。
そして、この容器弁１は、容器弁１の弁部１２の点検を、ガス系消火設備を設置した場所以外の工場等で行うことができる。
【００２８】
本参考例のその他の構成及び作用は、第１参考例のガス系消火剤貯蔵容器用容器弁１と同様である。
【００２９】
図８に、本発明のガス系消火剤貯蔵容器用容器弁の第２実施例を示す。
このガス系消火剤貯蔵容器用容器弁１は、二酸化炭素等の液体状態で消火剤貯蔵容器２に貯留され、サイホン管１３ａを介して容器弁１に供給されるガス系消火剤のためのもので、火災時に封板１２ｂを破ることで開放される弁体１２ａを配した弁部１２を備えている。
この容器弁１は、ボール弁等の開閉弁１４の開閉操作を行う操作部１４ｃを備えるようにしており、容器弁１の点検を行う際に、操作部１４ｃを操作して開閉弁１４を閉鎖することによって消火剤流路１３を遮断して、消火剤貯蔵容器２に消火剤を貯留した状態で容器弁１の弁部１２の点検を行うことができるようにしている。
そして、この容器弁１は、操作部１４ｃを備えることにより、開閉弁１４の開閉操作を簡単、かつ確実に行うことができる。
【００３０】
本実施例のその他の構成及び作用は、第１参考例のガス系消火剤貯蔵容器用容器弁１と同様である。
【００３１】
図９に、本発明のガス系消火剤貯蔵容器用容器弁の第３実施例を示す。
このガス系消火剤貯蔵容器用容器弁１は、フッ素ガス系等の液体状態で消火剤貯蔵容器（図示省略）に貯留され、サイホン管１３ａを介して容器弁１に供給されるガス系消火剤のためのもので、火災時に封板１２ｂを破ることで開放される弁体１２ａを配した弁部１２を備えている。
この容器弁１は、ボール弁等の開閉弁１４の開閉操作を行う操作部１４ｃを備えるようにしており、容器弁１の点検を行う際に、操作部１４ｃを操作して開閉弁１４を閉鎖することによって消火剤流路１３を遮断して、消火剤貯蔵容器２に消火剤を貯留した状態で容器弁１の弁部１２の点検を行うことができるようにしている。
そして、この容器弁１は、操作部１４ｃを備えることにより、開閉弁１４の開閉操作を簡単、かつ確実に行うことができる。
【００３２】
本実施例のその他の構成及び作用は、第１参考例のガス系消火剤貯蔵容器用容器弁１と同様である。
【００３３】
図１０に、本発明のガス系消火剤貯蔵容器用容器弁の第４実施例を示す。
このガス系消火剤貯蔵容器用容器弁１は、二酸化炭素等の液体状態で消火剤貯蔵容器（図示省略）に貯留され、サイホン管（図示省略）を介して容器弁１に供給されるガス系消火剤のためのもので、火災時に封板１２ｂを破ることで開放される弁体１２ａを配した弁部１２を備えている。
この容器弁１は、弁部１２を水平面内で揺動（例えば、９０°）させることにより開閉弁１４の開閉操作を行うことができるようにしており、容器弁１の点検を行う際に、弁部１２を揺動操作して開閉弁１４を閉鎖することによって消火剤流路１３を遮断して、消火剤貯蔵容器２に消火剤を貯留した状態で容器弁１の弁部１２の点検を行うことができるようにしている。
そして、この容器弁１は、弁部１２を揺動操作することにより、開閉弁１４の開閉操作を簡単、かつ確実に行うことができる。
【００３４】
開閉弁１４の形態は、図１０に記載のものに限定されず、図１１に示す本発明のガス系消火剤貯蔵容器用容器弁の第４実施例の変形例のように、鉛直面内で揺動（例えば、９０°）させることにより開閉弁１４の開閉操作を行うように構成することもできる。
【００３５】
本実施例のその他の構成及び作用は、第１参考例のガス系消火剤貯蔵容器用容器弁１と同様である。
【００３６】
以上、本発明のガス系消火剤貯蔵容器用容器弁について、複数の実施例に基づいて説明したが、本発明は上記実施例に記載した構成に限定されるものではなく、各実施例及び参考例に記載した構成を適宜組み合わせる等、その趣旨を逸脱しない範囲において適宜その構成を変更することができるものである。
【産業上の利用可能性】
【００３７】
本発明のガス系消火剤貯蔵容器用容器弁は、消火剤貯蔵容器から消火剤の放出を行わずに容器弁の点検を行うことができるという特性を有していることから、各種のガス系消火設備の用途に好適に用いることができる。
【符号の説明】
【００３８】
１    ガス系消火剤貯蔵容器用容器弁
１１  容器装着部
１２  弁部
１２ａ  弁体
１２ｂ  封板
１３  消火剤流路
１３ａ  サイホン管
１４  開閉弁
１４ａ  ばね
１４ｂ  ハンドル
１４ｃ  操作部
１５  安全装置
１６  安全装置
２    消火剤貯蔵容器
２１  開口部
【図１】
0005547014.tif 000002
【図２】
0005547014.tif 000003
【図３】
0005547014.tif 000004
【図４】
0005547014.tif 000005
【図５】
0005547014.tif 000006
【図６】
0005547014.tif 000007
【図７】
0005547014.tif 000008
【図８】
0005547014.tif 000009
【図９】
0005547014.tif 000010
【図１０】
0005547014.tif 000011
【図１１】
0005547014.tif 000012